(57)【特許請求の範囲】
【請求項１】
ウェットペーパーを包装し、上面中央に開設した取出し口（１８）を囲んで短円筒片状の周壁（２０）を立設固着した柔軟な袋状容器（１７）に組付けられるウエットペーパー取出し装置であって、前記周壁（２０）が嵌入係止する開口部（６）を開設すると共に、前記組付いた周壁（２０）を開閉可能に密閉する蓋（５）を有する頂壁（２）と、該頂壁（２）の少なくとも一側端から垂下連設された側壁（３）と、該側壁（３）の下端から前記開口部（６）に向かって延出設された弾性変形可能な底壁（４）と、から構成され、前記側壁（３）と底壁（４）との連設部分に、弾性変形し易い弾性変形部（４ａ）を形成して、前記袋状容器（１７）を頂壁（２）と底壁（４）との間で挟持するウエットペーパー取出し装置。
【請求項２】
蓋（５）を開放方向に付勢する弾性付勢手段（２２）を備えた蝶番（１２）により、前記蓋（５）を頂壁（２）に結合した請求項１記載のウェットペーパー取出し装置。
【請求項３】
押圧操作により、頂壁（２）に対して回動して蓋（５）を押し上げ、該蓋（５）と周壁（２０）の係止を解除する押しボタン（１５）を、前記頂壁（２）に設けた請求項２記載のウェットペーパー取出し装置。
【請求項４】
頂壁（２）の両側端から側壁（３）を垂下連設し、該両側壁（３）の一方の前半部分から一方の底壁（４）を、そして他方の後半部分から他方の底壁（４）を延出設した請求項１，２または３記載のウェットペーパー取出し装置。
【請求項５】
頂壁（２）の一方側端から側壁（３）を垂下連設し、該側壁（３）の幅全体から底壁（４）を延出設した請求項１、２または３記載のウェットペーパー取出し装置。
【請求項６】
底壁（４）の延出端を、下方に湾曲させたカール部（４ｂ）とした請求項１、２、３、４または５記載のウェットペーパー取出し装置。
【発明の詳細な説明】
【０００１】
【発明の属する技術分野】
本発明は、ウェットペーパーを包装する袋状容器に装着して、ウェットペーパーを容易、かつ片手で円滑に取出すことを可能にする装置に関するものである。
【０００２】
【従来の技術】
ウェットペーパーを収容する容器においては、省資源、廃棄物の減容等の観点から、プラスチック等で成形された使い捨ての容器を用いず、例えば特開平１１−２２７８５３号公報に開示されたような、ウェットペーパーを包装する袋状容器を収容して、繰り返し使用することを意図した容器が種々提案されている。
【０００３】
この従来技術は、自己形状保持可能な箱状の容器と、容器の頂壁に設けた蓋体とから構成され、容器が繰り返し使用可能である他、蓋体によりパウチ内部のウェットペーパーの乾燥が防止され、自己形状保持可能な容器に収容した後は、柔軟で定形性を持たない袋状容器を直接取扱うことによる、取扱いの難しさがない等の利点を有する。
【０００４】
【発明が解決しようとする課題】
しかし、前記従来技術においては、袋状容器内のウェットペーパーの量が減少するにつれて、取出し口から最上位のウェットペーパーが離れていくため、取出し口に差し入れた指先で摘んでウエットペーパーを取出さなければならず、ウエットペーパーの取出しが困難となる、と云う問題があった。
【０００５】
また、指先を差し入れてウエットペーパーの摘み出しを行わない場合には、容器を逆さにして内部のウエットペーパーを取出し口に臨ませるか、何らかの手段により袋状容器を押し上げて内部のウエットペーパーを取出し口に臨ませるかする必要があり、ウエットペーパーの取出しに手間が掛かる、と云う問題があった。
【０００６】
そこで、本発明は、上記した従来技術における問題点を解決すべく創案されたもので、袋状容器内のウェットペーパーが減少しても、取出し口にウェットペーパーを常に臨ませることを技術的課題とし、もって簡単な取扱いでウェットペーパーを容易に取出すことを可能にする装置を提供することを目的とする。
【０００７】
【課題を解決するための手段】
上記課題を解決する本発明の内、請求項１記載の発明の手段は、
ウェットペーパーを包装し、上面中央に開設した取出し口を囲んで短円筒片状の周壁を立設固着した柔軟な袋状容器に組付けられるウエットペーパー取出し装置であること、
袋状容器の周壁が嵌入係止する開口部を開設すると共に、組付いた周壁を開閉可能に密閉する蓋を有する頂壁を有すること、
この頂壁の少なくとも一側端から垂下連設された側壁を有すること、
この側壁の下端から頂壁の開口部に向かって延出設された弾性変形可能な底壁を有すること、側壁と底壁との連設部分に、弾性変形し易い弾性変形部を形成すること、
袋状容器を頂壁と底壁との間で挟持して組付けること、
にある。
【０００８】
本発明のウェットペーパー取出し装置は、袋状容器の上面中央に開設した取出し口を囲んで固着されている周壁を、頂壁に開設した開口部に嵌入係止させることにより袋状容器に結合し、この状態のまま頂壁と底壁との間に袋状容器を挟持することにより、袋状容器への組付きが達成される。
【０００９】
袋状容器に組付けられた状態で、開口部内には取出し口が位置しており、この取出し口には、内部のウエットペーパーが押付けられた状態で近接位置しているので、指先で摘んでのウェットペーパーの取出しを容易に達成することができ、また開口部に結合している周壁を蓋で密閉することにより、袋状容器の密閉を達成して、袋状容器内のウェットペーパーの乾燥を阻止する。
【００１０】
袋状容器に対する頂壁と底壁とによる挟持作用は、袋状容器内のウェットペーパーの厚みに関係なく、常に袋状容器に作用しているものであるので、消費によるウエットペーパーの厚みの減少に関わりなく、ウエットペーパーは、常に取出し口に押付けられて、この取出し口に臨んだ状態となっている。
【００１１】
このように、常にウエットペーパーを取出し口に臨ませることができるので、ウエットペーパーの消費の進行に関わりなく、指先によるウェットペーパーの取出しを容易に達成することができ、ウェットペーパー取出しのための操作がきわめて簡単である。
【００１２】
さらに、頂壁との間で袋状容器を弾力により挟持する底壁の弾性変形範囲を大きくすることができ、これによりウエットペーパーの厚み変化に影響されることなく、袋状容器に対する挟持力を一定化させることができる。
【００１３】
請求項２記載の発明は、請求項１記載の発明の構成に、蓋を開放方向に付勢する弾性付勢手段を備えた蝶番により、蓋を頂壁に結合した、ことを加えたものである。
【００１４】
この請求項２記載の発明にあっては、袋状容器の周壁に対する蓋の組付きを解除すると、蓋が、蝶番に備えられた弾性付勢手段に付勢されて、開放姿勢まで回動して、この開放姿勢を自己保持するので、ウエットペーパーを取出すに際して、手で蓋を開放姿勢に保持する必要がなく、その分、取扱いが容易となる。
【００１５】
請求項３記載の発明は、請求項２記載の発明の構成に、押圧操作により、頂壁に対して回動して蓋を押し上げ、この蓋と袋状容器の周壁との係止を解除する押しボタンを、頂壁に設けた、ことを加えたものである。
【００１６】
この請求項３記載の発明にあっては、蓋の開放回動を、押しボタンの押圧操作だけで達成できるので、蓋の開放がワンタッチで達成できる。
【００１７】
請求項４記載の発明は、請求項１記載の発明の構成に、頂壁の両側端から側壁を垂下連設し、この両側壁の一方の前半部分から一方の底壁を、そして他方の後半部分から他方の底壁を延出設した、ことを加えたものである。
【００１８】
この請求項４記載の発明にあっては、両側壁が存在するので、袋状容器の保持状態が安定すると共に、両側から延出した底壁により袋状容器を挟持するので、袋状容器の挟持状態が常に均等に達成されることになり、また安定した姿勢および状態で安置されることになる。
【００１９】
請求項５記載の発明は、請求項１記載の発明の構成に、頂壁の一方側端から側壁を垂下連設し、この側壁の幅全体から底壁を延出設した、ことを加えたものである。
【００２０】
この請求項５記載の発明にあっては、構造が簡単となると共に、一つの底壁を押し開くことにより、袋状容器の組付けを達成できるので、袋状容器に対する組付け取扱いが簡単なものとなる。
【００２１】
請求項６記載の発明は、請求項１記載の発明の構成に、底壁の延出端を、下方に湾曲させたカール部とした、ことを加えたものである。
【００２２】
この請求項６記載の発明にあっては、底壁の延出端が袋状容器に引っ掛かることがないので、消費によりウエットペーパーの厚みが減少して、挟持している袋状容器に対して底壁が滑り変位する際に、この底壁の袋状容器に対する滑り変位が無理なく円滑に達成され、袋状容器の良好な挟持状態を安定して維持する。
【００２３】
【発明の実施の形態】
以下、本発明の実施例を、図面を参照しながら説明する。
ウェットペーパー取出し装置１が取付けられる袋状容器１７は、撓み変形自在なシート状の材料で袋状に成形され、その上面中央にウェットペーパーを取り出すための取出し口１８を開設しており、この取出し口１８の周囲には、円環片状の口環１９が接着固定されており、この口環１９の内周端縁に、取出し口１８を囲む形態で円筒状の周壁２０が起立設されており、この周壁２０の上端外周に突片２１を周設し、また周壁２０の上端開口部には、この開口部を密閉する易剥離性のシール等の密閉手段を貼着している。
【００２４】
図１に、ウェットペーパー取出し装置１の第１実施例を示す。ウェットペーパー取出し装置１は、中央に円形の開口部６を開設し、蓋５を有する長方形平板状の頂壁２と、この頂壁２の長手方向の両側端から垂下連設された側壁３と、両側壁３の下端から開口部６に向かって斜め上方に延出設された底壁４とから構成されている。
【００２５】
また、袋状容器１７に押し上げ力を作用させる底壁３の延出端部分であるカール部４ｂの弾性変位範囲を充分に大きくするため、底壁４と側壁３の連設部分に、図６に示すように波状に成形する等して、弾性変形し易い弾性変形部４ａを設けている。
【００２６】
頂壁２は、中央に開設した開口部６の長手方向に沿った一方の開口縁に、蓋５と頂壁２を回動自在に結合する蝶番１２と、蓋５と蝶番１２を連結する腕部１１とを収納する凹部９を凹設し、長手方向に沿った他方の開口縁に、蓋５の開放操作に使用する押しボタン１５を収納する切り欠きを形成している。
【００２７】
また、凹部９と切り欠きを除く開口縁からは、筒壁状の係合筒７が垂下設されており、この係合筒７の下端内周に、凹部９の底面と一体につながる係止片８が周設されていて、開口部６すなわち係合筒７に嵌入した周壁２０の突片２１が、この係止片８に係止して、開口部６に対する周壁２０の組付きを確保している。
【００２８】
蓋５は、円板状頂板１０の一方側の周端部に、腕部１１を一体設し、反対側の周端部に舌片１３を突設しており、また頂板１０の下面の周縁部には、頂壁２に取り付いた周壁２０に密に内嵌係合して、蓋５による袋状容器１７の密閉を確保する円筒片状の嵌合筒片１４を垂下設している。
【００２９】
蝶番１２は、蓋５を開放方向に付勢する弾性付勢手段２２としてのコイルバネ（図４参照）を備えているが、この弾性付勢手段２２はコイルバネに限定されることはなく、例えば板ゴムであっても良い。
【００３０】
板片状の押しボタン１５は、図３に示す通り、肉厚部を介して段差がある縦断面形状をしており、上段側はその上面に押圧操作時にすべり止めとなる突条を刻設し、下段側は蓋５を閉鎖した姿勢で、蓋５の舌片１３の下面と当接している。
【００３１】
また、肉厚部には、両端を頂壁２に支持される水平方向の回転軸１６が貫通し、この回転軸１６を軸として、押しボタン１５は頂壁２に対して自在に回動する。
【００３２】
図１に示す通り、両底壁４は側壁３の半分の幅を有し、左側の底壁４はウェットペーパー取出し装置１の前半分から、右側の底壁４は後半分からそれぞれ延出設しており、また両底壁４の延出端は、後述する弾性復帰の際に袋状容器１７の下面を滑らかに摺動できるように下方に湾曲したカール部４ｂとなっている。
【００３３】
次に、袋状容器１７の取付けについて説明する。
頂壁２に対して両底壁４を押し下げて、頂壁２と両底壁４との間隔を大きくした状態で、この頂壁２と両底壁４との間に袋状容器１７を挿入し、この状態で袋状容器１７の周壁２０を頂壁２の開口部６に嵌入させ、次いで両底壁４に対する押し下げを解除することにより、頂壁２と両底壁４との間で袋状容器１７を挟持して、袋状容器１７とウェットペーパー取出し装置１との組付けが完了する。なお、この組付けに際して、予め、袋状容器１７の周壁２０の上端に貼着されている密閉手段を除去しておくのが良い。
【００３４】
この状態では、図５に示すように、突片２１は係止片８に乗り越え係止しており、蓋５を周壁２０に被嵌することにより、図２に示すように、袋状容器１７を密閉した状態でのウェットペーパー取出し装置１と袋状容器１７との組付けが達成される。
【００３５】
袋状容器１７に組付いた状態の縦断面を、図３に示す。図示の実施例では、側壁３の高さとほぼ同一の厚さの袋状容器１７を組付けており、両底壁４は略水平の位置まで弾性変形している。なお、ウェットペーパー取出し装置１は、底壁４が袋状容器１７の底面に当接して挟持できる範囲で、種々の厚さの袋状容器１７に適用することができる。
【００３６】
ウェットペーパーを取出す際、先ず押しボタン１５を指で押圧する。押しボタン１５は回動し、下段側が舌片１３を押し上げ、蓋５と周壁２０の係合を解除する。係合が解除された後、蓋５は蝶番１２に備えた弾性付勢手段２２の作用により開放方向に付勢され、図１に示す起立状の姿勢まで開放された後、その姿勢を維持する。使用者はウェットペーパーを所望の量だけ取り出した後、蓋５を閉鎖して袋状容器１７を密閉する。
【００３７】
取出しにより袋状容器１７内のウェットペーパーの厚さが減少すると、それに伴って、図３の二点鎖線に示すように、両底壁４の延出端は開口部６に向かって変位し、袋状容器１７の下面を開口部６に向かって押圧する。従って、袋状容器１７内の最上位のウェットペーパーは開口部６、すなわち取出し口１８に常に臨んだ状態に保たれており、そのまま指先で摘んで引き出すことができる。
【００３８】
この第１実施例にあっては、両側壁３が脚部として機能することができるので、袋状容器１７に組付けられた状態で、安置姿勢が安定したものとなり、また袋状容器１７の厚みの変化に関わりなく、底壁４による袋状容器１７の開口部６への押付けが、常に均等となり、これにより袋状容器１７内のウェットペーパーは、常に安定してかつ一定した姿勢で開口部６に臨むことになる。
【００３９】
図６および図７に、本発明の第２実施例を示す。この第２実施例では、側壁３は頂壁２の押しボタン１５側の側端だけから垂下連設され、この一つの側壁３から一つの底壁４を延出設して構成されており、一つの底壁４で袋状容器１７を安定に挟持する必要があるので、底壁４は側壁３の全幅範囲から延出設されていると共に、第1実施例の底壁４よりも延出長が大きくなっている。
【００４０】
この第２実施例においては、頂壁２および側壁３そして底壁４の夫々が一つだけであるので、構造がきわめて簡単となり、また一方の側面が開放された状態となっているので、この開放された側面を袋状容器１７との組付けに利用することにより、袋状容器１７に対する組付けがきわめて簡単となる。
【００４１】
【発明の効果】
本発明は、上記した構成となっているので、以下に示す効果を奏する。
請求項１記載の発明にあっては、袋状容器内のウェットペーパーの減少に伴い、底壁の延出端が開口部に向かって弾性変位して、袋状容器の下面を開口部、すなわち取出し口に近づけるように押圧して、内部のウェットペーパーを取出し口に望ませるので、取出し口に指を深く入れたりすることなく、ウェットペーパーを指先で容易に摘み出すことができ、またこのウェットペーパーの取出しを、容器を安置したまま、片手で行うことができる。
【００４２】
また、袋状容器に対する組み付けは、袋状容器に対する挟み付きと、これと同時に行われる袋状容器の周壁に対する開口部の被嵌組付きにより達成されるので、その操作が簡単であり、それゆえ袋状容器に対する着脱を簡単に達成できる。
【００４３】
さらに、多数の袋状容器に対して、好適にまた簡単に反復使用することができるので、袋状容器の使用を好ましい状態で経済的に行うことができる。
【００４４】
そして、ウエットペーパーの厚み変化に影響されることなく、袋状容器に対する挟持力を一定化させることができ、これによりウエットペーパーの良好な摘み出し状態を維持することができる。
【００４５】
請求項２記載の発明にあっては、蓋が開放姿勢を自己保持するので、ウエットペーパーを取出すに際して、手で蓋を開放姿勢に保持する必要がなく、その分、ウエットペーパーの取出し取扱いが容易となる。
【００４６】
請求項３記載の発明にあっては、取出し装置と袋状容器との組合せ物を安置した状態のまま、ワンタッチで蓋の開放を達成できるので、取扱いが簡単となる。
【００４７】
請求項４記載の発明にあっては、袋状容器の保持状態が安定すると共に、両側から延出した底壁により袋状容器を挟持するので、袋状容器の挟持状態が常に均等に達成されることになり、また安定した姿勢および状態で安置されることになり、さらに取出し口に臨む最上位のウエットペーパーの姿勢を、常に指先による摘み出しが行い易いものとすることができる。
【００４８】
請求項５記載の発明にあっては、構造が簡単であると共に、袋状容器との組付き取扱いが簡単なものとなる。
【００４９】
請求項６記載の発明にあっては、袋状容器の良好な挟持状態を安定して維持することができるので、ウエットペーパーの取出しのし易さを最後まで維持することができ、これにより良好な使用状態を得ることができる。
【図面の簡単な説明】
【図１】  本発明の第１実施例を示す、全体斜視図。
【図２】  第１実施例の、袋状容器に組付いた状態の全体斜視図。
【図３】  図２図示実施例の、縦断正面図。
【図４】  図２図示実施例の、蝶番部分の拡大正面図。
【図５】  図２図示実施例の、部分拡大側面図。
【図６】  本発明の第２実施例を示す、全体斜視図。
【図７】  第２実施例の、袋状容器に組付いた状態での全体縦断正面図。
【符号の説明】
１  ；  ウェットペーパー取出し装置
２  ；  頂壁
３  ；  側壁
４  ；  底壁
４ａ；  弾性変形部
４ｂ；  カール部
５  ；  蓋
６  ；  開口部
７  ；  係合筒
８  ；  係止片
９  ；  凹部
１０；  頂板
１１；  腕部
１２；  蝶番
１３；  舌片
１４；  嵌合筒片
１５；  押しボタン
１６；  回転軸
１７；  袋状容器
１８；  取出し口
１９；  口環
２０；  周壁
２１；  突片
２２；  弾性付勢手段
【図１】
0004314422.tif 000002
【図２】
0004314422.tif 000003
【図３】
0004314422.tif 000004
【図４】
0004314422.tif 000005
【図５】
0004314422.tif 000006
【図６】
0004314422.tif 000007
【図７】
0004314422.tif 000008